(57)【要約】【課題】手摺枠に特別な構成を設けることなく昇降式移動足場の側部において手摺枠を保持することを可能にする保持部材およびそれを備えた昇降式移動足場を提供する。【解決手段】保持部材３０，４０は、昇降式移動足場１００の支持台１０に取り付けられる。保持部材３０，４０は、手摺枠２４の手摺柱２４ａの軸心が上下方向を向くようにかつ取り外し可能に手摺柱２４ａを保持できる手摺柱保持部３２，４２と、手摺柱保持部３２，４２が昇降式移動足場１００の伸縮部１２よりも外側に位置するように手摺柱保持部３２，４２を支持台１０に固定できる固定部３４，４４とを備える【選択図】  図１７
2020045649.tif 000002
【特許請求の範囲】
【請求項１】
複数の車輪が取り付けられた支持台と、上下方向に伸縮可能に前記支持台上に設けられた伸縮部と、上下方向に昇降可能に前記伸縮部に支持された作業部と、それぞれ上下方向に延びる一対の手摺柱を有する一対の手摺枠と、を備えた昇降式移動足場に取り付けられる手摺枠の保持部材であって、
前記手摺柱の軸心が上下方向を向くようにかつ取り外し可能に前記手摺柱を保持できる手摺柱保持部と、
前記手摺柱保持部が前記伸縮部よりも外側に位置するように、前記手摺柱保持部を前記支持台に固定できる固定部とを備える、手摺枠の保持部材。
【請求項２】
前記支持台は、前記伸縮部を支持しかつ上方から見て矩形状の基礎フレーム部を有し、
前記手摺柱保持部は、前記手摺柱の少なくとも一部が前記基礎フレーム部よりも下方に位置するように前記手摺柱を保持する、請求項１に記載の手摺枠の保持部材。
【請求項３】
前記支持台は、上下方向に延びるように前記基礎フレーム部の四隅に設けられた４本の支柱をさらに有し、
前記昇降式移動足場は、前記４本の支柱にそれぞれ設けられた４つのアウトリガーをさらに備え、
前記アウトリガーは、水平方向に回転可能に前記支柱に取り付けられた回転フレーム部と、前記回転フレーム部に取り付けられたジャッキベースとを有し、
当該保持部材は、前記４本の支柱それぞれに対応するように設けられ、
前記固定部は、前記手摺柱保持部が前記回転フレーム部の回転経路上に位置しないように、前記手摺柱保持部を前記支持台に固定できる、請求項２に記載の手摺枠の保持部材。
【請求項４】
前記固定部は、前記手摺柱保持部の下方を前記回転フレーム部が通ることができるように、前記手摺柱保持部を前記支持台に固定できる、請求項３に記載の手摺枠の保持部材。
【請求項５】
前記手摺柱保持部は、前記手摺柱の下部が前記回転フレーム部の回転経路上に位置するように前記下部を下方に突出させた状態で前記手摺柱を保持する、請求項４に記載の手摺枠の保持部材。
【請求項６】
前記基礎フレーム部は、上方から見て第１方向に延びる一対の短辺および前記第１方向に直交する第２方向に延びる一対の長辺を有するように長方形状を有しており、
前記作業部は、上方から見て長方形状の床部と、前記床部の四隅にそれぞれ設けられかつ前記手摺枠の前記手摺柱を取り付け可能な手摺柱取付部とを有し、
前記固定部は、前記手摺柱保持部が前記第１方向において前記伸縮部よりも外側に位置するように、前記手摺柱保持部を前記支持台に固定できる、請求項２から５のいずれかに記載の手摺枠の保持部材。
【請求項７】
前記支持台の内側において巾木の長手方向における一端部を保持できる巾木保持部をさらに備える、請求項１から６のいずれかに記載の手摺枠の保持部材。
【請求項８】
複数の車輪が取り付けられた支持台と、
上下方向に伸縮可能に前記支持台上に設けられた伸縮部と、
上下方向に昇降可能に前記伸縮部に支持された作業部と、
それぞれ上下方向に延びる一対の手摺柱を有する一対の手摺枠と、
それぞれ前記手摺柱を取り外し可能に保持できる手摺柱保持部を有しかつ前記支持台に固定された４つの保持部材と、を備え、
上方から見て、前記４つの保持部材のうちの２つの前記保持部材と他の２つの前記保持部材とは、前記支持台を間に挟むように第１方向に離れて設けられ、
上方から見て、前記第１方向において前記支持台の一方側に設けられた２つの前記保持部材および前記第１方向において前記支持台の他方側に設けられた他の２つの前記保持部材はそれぞれ、前記第１方向に直交する第２方向に離れて設けられ、
前記４つの保持部材それぞれの前記手摺柱保持部は、前記第１方向において前記伸縮部よりも外側に設けられ、かつ前記手摺柱の軸心が上下方向を向くように前記手摺柱を保持する、昇降式移動足場。
【請求項９】
前記支持台は、前記伸縮部を支持しかつ上方から見て矩形状の基礎フレーム部を有し、
前記手摺柱保持部は、前記手摺柱の少なくとも一部が前記基礎フレーム部よりも下方に位置するように前記手摺柱を保持する、請求項８に記載の昇降式移動足場。
【請求項１０】
前記支持台は、上下方向に延びるように前記基礎フレーム部の四隅に設けられた４本の支柱をさらに有し、
当該昇降式移動足場は、前記４本の支柱にそれぞれ設けられた４つのアウトリガーをさらに備え、
前記アウトリガーは、水平方向に回転可能に前記支柱に取り付けられた回転フレーム部と、前記回転フレーム部に取り付けられたジャッキベースとを有し、
前記４つの保持部材は、前記４本の支柱にそれぞれ対応するように設けられ、
前記保持部材は、前記回転フレーム部の回転経路上に位置しないように、前記支持台に固定される、請求項９に記載の昇降式移動足場。
【請求項１１】
前記保持部材は、前記手摺柱保持部の下方を前記回転フレーム部が通ることができるように、前記支持台に固定される、請求項１０に記載の昇降式移動足場。
【請求項１２】
前記手摺柱保持部は、前記手摺柱の下部が前記回転フレーム部の回転経路上に位置するように前記下部を下方に突出させた状態で前記手摺柱を保持する、請求項１１に記載の昇降式移動足場。
【請求項１３】
前記基礎フレーム部は、上方から見て前記第１方向に延びる一対の短辺および前記第２方向に延びる一対の長辺を有するように長方形状を有しており、
前記作業部は、上方から見て長方形状の床部と、前記床部の四隅にそれぞれ設けられかつ前記手摺枠の前記手摺柱を取り付け可能な手摺柱取付部とを有する、請求項９から１２のいずれかに記載の昇降式移動足場。
【請求項１４】
前記保持部材は、前記支持台の内側において巾木の長手方向における端部を保持できる巾木保持部をさらに備え、
前記４つの保持部材のうち前記第２方向における一方側に設けられた２つの前記保持部材によって一つの巾木を保持でき、前記第２方向における他方側に設けられた２つの前記保持部材によって他の一つの巾木を保持できる、請求項８から１３のいずれかに記載の昇降式移動足場。
【発明の詳細な説明】
【技術分野】
【０００１】
本発明は、手摺枠の保持部材およびそれを備えた昇降式移動足場に関する。
【背景技術】
【０００２】
従来、内装及び外装工事等の作業を行うために、昇降式移動足場が用いられている。例えば、特許文献１に開示された昇降式移動足場は、複数の車輪を備える基台フレームと、伸縮自在に設けられた複数の水平フレーム（以下、伸縮部という。）とを有している。基台フレームには、ジャッキベースを備えたアウトリガーが取り付けられている。また、伸縮部のうち最上段の水平フレームには、作業床および手摺枠が設けられている。これにより、昇降式移動足場の最上部に作業台が形成されている。
【０００３】
上記の昇降式移動足場は、ジャッキベースを地面から持ち上げた状態で基台フレームを水平方向に押すことによって移動させることができる。また、車輪をロックするとともに、ジャッキベースを接地させることで、基台フレームを所定の場所に固定することができる。すなわち、昇降式移動足場を所定の場所に固定することができる。これにより、作業者は、所定の場所で作業を行うことができる。
【０００４】
ところで、昇降式移動足場を移動させる際および昇降式移動足場を倉庫等に保管する際には、作業台の手摺枠が邪魔になることがある。そこで、特許文献１に開示された昇降式移動足場では、手摺枠は、垂直面内において回転できるように作業床に取り付けられている。具体的には、手摺枠の下部の中央部が、手摺枠に対して直角でかつ水平方向に延びる軸を回転軸として回転できるように、作業床に支持されている。
【０００５】
上記の構成によって、昇降式移動足場を移動させる際および倉庫等に保管する際には、手摺枠を垂直面内において１８０°回転させることによって、手摺枠を昇降式移動足場（より具体的には、伸縮部）の側部に移動させることができる。この場合、昇降式移動足場の高さを、手摺枠を外した場合と同等の高さにすることができるので、昇降式移動足場を移動したり保管したりする際に、手摺枠が邪魔にならない。
【先行技術文献】
【特許文献】
【０００６】
【特許文献１】特開２０１６−１８８５２２号公報
【発明の概要】
【発明が解決しようとする課題】
【０００７】
しかしながら、特許文献１の昇降式移動足場では、手摺枠を作業床に回転可能に取り付けるために、手摺枠の構造が複雑になる。
【０００８】
そこで、本発明の目的は、手摺枠に特別な構成を設けることなく昇降式移動足場の側部において手摺枠を保持することを可能にする保持部材およびそれを備えた昇降式移動足場を提供することにある。
【課題を解決するための手段】
【０００９】
本発明は、下記の手摺枠の保持部材および昇降式移動足場を要旨とする。
【００１０】
（１）複数の車輪が取り付けられた支持台と、上下方向に伸縮可能に前記支持台上に設けられた伸縮部と、上下方向に昇降可能に前記伸縮部に支持された作業部と、それぞれ上下方向に延びる一対の手摺柱を有する一対の手摺枠と、を備えた昇降式移動足場に取り付けられる手摺枠の保持部材であって、
前記手摺柱の軸心が上下方向を向くようにかつ取り外し可能に前記手摺柱を保持できる手摺柱保持部と、
前記手摺柱保持部が前記伸縮部よりも外側に位置するように、前記手摺柱保持部を前記支持台に固定できる固定部とを備える、手摺枠の保持部材。
【００１１】
（２）前記支持台は、前記伸縮部を支持しかつ上方から見て矩形状の基礎フレーム部を有し、
前記手摺柱保持部は、前記手摺柱の少なくとも一部が前記基礎フレーム部よりも下方に位置するように前記手摺柱を保持する、上記（１）に記載の手摺枠の保持部材。
【００１２】
（３）前記支持台は、上下方向に延びるように前記基礎フレーム部の四隅に設けられた４本の支柱をさらに有し、
前記昇降式移動足場は、前記４本の支柱にそれぞれ設けられた４つのアウトリガーをさらに備え、
前記アウトリガーは、水平方向に回転可能に前記支柱に取り付けられた回転フレーム部と、前記回転フレーム部に取り付けられたジャッキベースとを有し、
当該保持部材は、前記４本の支柱それぞれに対応するように設けられ、
前記固定部は、前記手摺柱保持部が前記回転フレーム部の回転経路上に位置しないように、前記手摺柱保持部を前記支持台に固定できる、上記は（２）に記載の手摺枠の保持部材。
【００１３】
（４）前記固定部は、前記手摺柱保持部の下方を前記回転フレーム部が通ることができるように、前記手摺柱保持部を前記支持台に固定できる、上記（３）に記載の保持部材。
【００１４】
（５）前記手摺柱保持部は、前記手摺柱の下部が前記回転フレーム部の回転経路上に位置するように前記下部を下方に突出させた状態で前記手摺柱を保持する、上記（４）に記載の手摺枠の保持部材。
【００１５】
（６）前記基礎フレーム部は、上方から見て第１方向に延びる一対の短辺および前記第１方向に直交する第２方向に延びる一対の長辺を有するように長方形状を有しており、
前記作業部は、上方から見て長方形状の床部と、前記床部の四隅にそれぞれ設けられかつ前記手摺枠の前記手摺柱を取り付け可能な手摺柱取付部とを有し、
前記固定部は、前記手摺柱保持部が前記第１方向において前記伸縮部よりも外側に位置するように、前記手摺柱保持部を前記支持台に固定できる、上記（２）から（５）のいずれかに記載の手摺枠の保持部材。
【００１６】
（７）前記支持台の内側において巾木の長手方向における一端部を保持できる巾木保持部をさらに備える、上記（１）から（６）のいずれかに記載の手摺枠の保持部材。
【００１７】
（８）複数の車輪が取り付けられた支持台と、
上下方向に伸縮可能に前記支持台上に設けられた伸縮部と、
上下方向に昇降可能に前記伸縮部に支持された作業部と、
それぞれ上下方向に延びる一対の手摺柱を有する一対の手摺枠と、
それぞれ前記手摺柱を取り外し可能に保持できる手摺柱保持部を有しかつ前記支持台に固定された４つの保持部材と、を備え、
上方から見て、前記４つの保持部材のうちの２つの前記保持部材と他の２つの前記保持部材とは、前記支持台を間に挟むように第１方向に離れて設けられ、
上方から見て、前記第１方向において前記支持台の一方側に設けられた２つの前記保持部材および前記第１方向において前記支持台の他方側に設けられた他の２つの前記保持部材はそれぞれ、前記第１方向に直交する第２方向に離れて設けられ、
前記４つの保持部材それぞれの前記手摺柱保持部は、前記第１方向において前記伸縮部よりも外側に設けられ、かつ前記手摺柱の軸心が上下方向を向くように前記手摺柱を保持する、昇降式移動足場。
【００１８】
（９）前記支持台は、前記伸縮部を支持しかつ上方から見て矩形状の基礎フレーム部を有し、
前記手摺柱保持部は、前記手摺柱の少なくとも一部が前記基礎フレーム部よりも下方に位置するように前記手摺柱を保持する、上記（８）に記載の昇降式移動足場。
【００１９】
（１０）前記支持台は、上下方向に延びるように前記基礎フレーム部の四隅に設けられた４本の支柱をさらに有し、
当該昇降式移動足場は、前記４本の支柱にそれぞれ設けられた４つのアウトリガーをさらに備え、
前記アウトリガーは、水平方向に回転可能に前記支柱に取り付けられた回転フレーム部と、前記回転フレーム部に取り付けられたジャッキベースとを有し、
前記４つの保持部材は、前記４本の支柱にそれぞれ対応するように設けられ、
前記保持部材は、前記回転フレーム部の回転経路上に位置しないように、前記支持台に固定される、上記（９）に記載の昇降式移動足場。
【００２０】
（１１）前記保持部材は、前記手摺柱保持部の下方を前記回転フレーム部が通ることができるように、前記支持台に固定される、上記（１０）に記載の昇降式移動足場。
【００２１】
（１２）前記手摺柱保持部は、前記手摺柱の下部が前記回転フレーム部の回転経路上に位置するように前記下部を下方に突出させた状態で前記手摺柱を保持する、上記（１１）に記載の昇降式移動足場。
【００２２】
（１３）前記基礎フレーム部は、上方から見て前記第１方向に延びる一対の短辺および前記第２方向に延びる一対の長辺を有するように長方形状を有しており、
前記作業部は、上方から見て長方形状の床部と、前記床部の四隅にそれぞれ設けられかつ前記手摺枠の前記手摺柱を取り付け可能な手摺柱取付部とを有する、上記（９）から（１２）のいずれかに記載の昇降式移動足場。
【００２３】
（１４）前記保持部材は、前記支持台よりも内側において巾木の長手方向における端部を保持できる巾木保持部をさらに備え、
前記４つの保持部材のうち前記第２方向における一方側に設けられた２つの前記保持部材によって一つの巾木を保持でき、前記第２方向における他方側に設けられた２つの前記保持部材によって他の一つの巾木を保持できる、上記（８）から（１３）のいずれかに記載の昇降式移動足場。
【発明の効果】
【００２４】
本発明によれば、手摺枠に特別な構成を設けることなく昇降式移動足場の側部において手摺枠を保持することが可能になる。
【図面の簡単な説明】
【００２５】
【図１】図１は、本発明の一実施形態に係る保持部材が取り付けられる昇降式移動足場を示す図である。
【図２】図２は、支持台および４つのアウトリガーを上方から見た概略図である。
【図３】図３は、伸縮部を縮めた状態の昇降式移動足場を示す図である。
【図４】図４は、支持台、作業部および４つのアウトリガーを上方から見た概略図である。
【図５】図５は、手摺枠を示す図である。
【図６】図６は、アウトリガーを閉じた状態の昇降式移動足場を示す図である。
【図７】図７は、本発明の一実施形態に係る保持部材が取り付けられた昇降式移動足場を示す図である。
【図８】図８は、本発明の一実施形態に係る保持部材が取り付けられた昇降式移動足場を示す図である。
【図９】図９は、保持部材を示す図である。
【図１０】図１０は、保持部材を示す図である。
【図１１】図１１は、図７のＡ−Ａ線断面図である。
【図１２】図１２は、保持部材の支持台への取り付け方法を説明するための図である。
【図１３】図１３は、保持部材を示す図である。
【図１４】図１４は、保持部材を示す図である。
【図１５】図１５は、支持台、アウトリガーおよび保持部材の位置関係を説明するための図である。
【図１６】図１６は、支持台、アウトリガーおよび保持部材の位置関係を説明するための図である。
【図１７】図１７は、一対の手摺枠を作業部から取り外して、昇降式移動足場の側部に保持した状態を示す図である。
【図１８】図１８は、一対の手摺枠を作業部から取り外して、昇降式移動足場の側部に保持した状態を示す図である。
【図１９】図１９は、保持部材の他の例を示す図である。
【図２０】図２０は、保持部材のその他の例を示す図である。
【発明を実施するための形態】
【００２６】
以下、本発明の一実施形態に係る保持部材およびそれを備えた昇降式移動足場について説明する。
【００２７】
図１は、本発明の一実施形態に係る保持部材が取り付けられる昇降式移動足場を示す図である。図１には、本実施形態に係る保持部材が取り付けられる前の昇降式移動足場１００が示されている。
【００２８】
まず、昇降式移動足場１００について説明する。なお、本発明に係る保持部材が取り付けられる昇降式移動足場は、以下に説明する昇降式移動足場１００に限定されず、本発明に係る保持部材は、公知の種々の昇降式移動足場に取り付けて利用できる。
【００２９】
図１に示すように、昇降式移動足場１００は、支持台１０と、伸縮部１２と、作業部１４と、手摺部１６とを備えている。支持台１０には、複数（本実施形態では、４つ）の車輪１０ａおよび複数（本実施形態では、４つ）のアウトリガー１８（後述の図３（ｂ）参照）が取り付けられている。各車輪１０ａには、回転をロックするためのストッパ（図示せず）が設けられている。これにより、支持台１０を移動させたり、支持台１０を所定の位置に固定したりすることができる。
【００３０】
図２は、支持台１０および４つのアウトリガー１８を上方から見た概略図である。図２に示すように、支持台１０は、上方から見て矩形状の基礎フレーム部２０を有している。本実施形態では、基礎フレーム部２０は、上方から見て、第１方向Ｘに延びる一対の短辺および第１方向Ｘ１に直交する第２方向Ｙに延びる一対の長辺を有するように、長方形状を有している。本実施形態では、基礎フレーム部２０は、第１方向Ｘに延びる一対の柱状部材２２ａと、第２方向Ｙに延びる一対の柱状部材２２ｂとを有している。なお、柱状部材２２ａおよび柱状部材２２ｂの長さが等しくてもよい。すなわち、上方から見て、第１方向Ｘに延びる一対の辺の長さと第２方向に延びる一対の辺の長さとが等しくなるように、基礎フレーム部２０が正方形状を有していてもよい。
【００３１】
図１および図２に示すように、支持台１０において基礎フレーム部２０の四隅には、それぞれ、上下方向に延びるように支柱２２ｃが設けられている。各支柱２２ｃにそれぞれ、車輪１０ａ（図１参照）およびアウトリガー１８が取り付けられている。アウトリガー１８については後述する。
【００３２】
なお、本実施形態では、各柱状部材２２ａの下方には、第１方向Ｘに延びる柱状部材２２ｄ（後述の図３（ｂ）参照）が設けられ、各柱状部材２２ｂの下方には、第２方向Ｙに延びる柱状部材２２ｅ（図１参照）が設けられている。柱状部材２２ｄは、第１方向Ｘにおいて一対の支柱２２ｃを連結し、柱状部材２２ｅは、第２方向Ｙにおいて一対の支柱２２ｃを連結している。
【００３３】
図１に示すように、伸縮部１２は、上下方向に伸縮可能に支持台１０の基礎フレーム部２０に支持されている。本実施形態では、伸縮部１２は、複数の水平フレーム１２ａと、複数のスライダクランク１２ｂとを有している。作業部１４は、伸縮部１２の上端部に支持されている。
【００３４】
図３に、伸縮部１２を縮めた状態の昇降式移動足場１００を示す。図３において（ａ）は、昇降式移動足場１００を第１方向Ｘから見た図であり、（ｂ）は、（ａ）に示す昇降式移動足場１００を紙面右側から見た図である。
【００３５】
図１および図３を参照して、伸縮部１２を伸縮させることによって、作業部１４を上下方向に昇降させることができる。なお、伸縮部１２の構成としては、公知の種々の昇降式移動足場で利用されている構成を採用できるので、詳細な説明は省略する。
【００３６】
図４は、支持台１０、作業部１４および４つのアウトリガー１８を上方から見た概略図である。図１、図３および図４に示すように、作業部１４は、上方から見て長方形状を有する床部１４ａと、床部１４ａの四隅にそれぞれ設けられた手摺柱取付部１４ｂとを有している。図４に示すように、本実施形態では、床部１４ａは、上方から見て長方形状の水平フレーム２３ａと、水平フレーム２３ａに固定された網目状の床材２３ｂとを有している。
【００３７】
本実施形態では、水平フレーム２３ａの四隅にそれぞれ手摺柱取付部１４ｂが設けられている。図１および図３に示すように、水平フレーム２３ａは、伸縮部１２の最上段のスライダクランク１２ｂに支持されている。手摺柱取付部１４ｂは、筒形状（より具体的には、円筒形状）を有しており、後述する手摺枠２４（図３参照）の手摺柱２４ａを取り外し可能に保持できるように構成されている。なお、手摺柱取付部１４ｂの形状は筒形状に限定されず、手摺柱２４ａを取り外し可能に保持できるように構成されていればよい。
【００３８】
図３（ｂ）に示すように、手摺部１６は、一対の手摺枠２４を有している。図５は、手摺枠２４を示す図である。図３および図５に示すように、手摺枠２４は、上下方向に延びる一対の手摺柱２４ａと、一対の手摺柱２４ａの上端部同士を接続する棒状の手摺部材２４ｂと、一対の手摺柱２４ａの上下方向における略中央部同士を接続する棒状の中桟２４ｃと、中桟２４ｃよりも下方において一対の手摺柱２４ａを接続する巾木２４ｄと、手摺柱２４ａに回転可能に設けられた略Ｃ字状の手摺部材２４ｅとを有している。図５に示すように、手摺柱２４ａの下部２５は、巾木２４ｄよりも下方に突出している。
【００３９】
図３（ｂ）に示すように、一方の手摺枠２４は、第１方向Ｘにおける一方側において作業部１４に取り外し可能に取り付けられ、他方の手摺枠２４は、第１方向Ｘにおける他方側において作業部１４に取り外し可能に取り付けられる。本実施形態では、一方の手摺枠２４の一対の手摺柱２４ａの下部２５（図５参照）が、第１方向Ｘにおける一方側に設けられた一対の手摺柱取付部１４ｂに差し込まれ、他方の手摺枠２４の一対の手摺部材２４ｂの下部２５（図５参照）が、第１方向Ｘにおける他方側に設けられた一対の手摺柱取付部１４ｂに差し込まれる。
【００４０】
本実施形態では、巾木２４ｄの下端部が一対の手摺柱取付部１４ｂに係止されることによって、手摺枠２４が作業部１４（一対の手摺柱取付部１４ｂ）に支持されている。すなわち、巾木２４ｄは、上下方向における手摺枠２４の位置を固定するための位置決め部として機能している。なお、位置決め部の構成は巾木２４ｄに限定されず、手摺柱取付部１４ｂに係止されるように手摺柱２４ａから水平方向に突出する部分を位置決め部として用いることができる。
【００４１】
一方の手摺枠２４の手摺部材２４ｅは、他方の手摺枠２４の手摺柱２４ａに連結され、他方の手摺枠２４の手摺部材２４ｅは、一方の手摺枠２４の手摺柱２４ａに連結される。これにより、作業部１４上に、一対の手摺枠２４によって囲まれた矩形の領域が形成される。言い換えると、作業部１４上で作業する作業者（図示せず）を一対の手摺枠２４によって囲むことができる。また、図３（ｂ）に示すように、本実施形態では、作業部１４の第２方向Ｙにおける両端部にそれぞれ、第１方向Ｘに延びる巾木２６が取り外し可能に設けられる。本実施形態では、一対の巾木２４ｄおよび一対の巾木２６によって、作業部１４から物が落下することを防止できる。
【００４２】
図１〜図４に示すように、各アウトリガー１８は、水平方向に回転可能に支柱２２ｃに取り付けられた回転フレーム部２８ａと、上下方向に移動可能に回転フレーム部２８ａの先端部に取り付けられたジャッキベース２８ｂとを有している。本実施形態では、アウトリガー１８を支柱２２ｃに対して回転させることによって、アウトリガー１８を、支持台１０に対して、開いたり、閉じたりすることができる。
【００４３】
図６に、アウトリガー１８を閉じた状態の昇降式移動足場１００を示す。なお、図６においては、手摺部１６を作業部１４から取り外した状態の昇降式移動足場１００が示されている。また、図６において（ａ）は、昇降式移動足場１００を第１方向Ｘから見た図であり、（ｂ）は、昇降式移動足場１００の支持台１０および作業部１４を上方から見た図である。
【００４４】
本実施形態では、昇降式移動足場１００を用いて作業を行う場合には、各車輪１０ａの回転をロックするとともに、図１に示すように、伸縮部１２を伸張させる。また、アウトリガー１８を開いた状態にし、ジャッキベース２８ｂを地面に接地させる。
【００４５】
一方、昇降式移動足場１００を移動させる場合には、図６に示すように、伸縮部１２を縮めるとともに、各車輪１０ａのロックを解除する。また、アウトリガー１８を閉じた状態にし、ジャッキベース２８ｂを地面から持ち上げた状態で固定する。この状態で、支持台１０を水平方向に押すことによって、昇降式移動足場１００を移動させることができる。
【００４６】
ここで、本発明の一実施形態に係る保持部材を上記の昇降式移動足場１００に取り付けることによって、作業部１４から取り外した一対の手摺枠２４を、昇降式移動足場１００の側部で保持することができる。以下、本発明の一実施形態に係る保持部材について説明する。
【００４７】
図７および図８は、本発明の一実施形態に係る保持部材が取り付けられた昇降式移動足場を示す図である。なお、図７は、昇降式移動足場１００を第１方向Ｘから見た図であり、図８は、図７に示す昇降式移動足場１００を紙面右側から見た図である。
【００４８】
図７に示すように、本実施形態では、２種類の保持部材３０，４０が用いられる。具体的には、支持台１０において、第１方向Ｘにおける一方側に一対の保持部材３０，４０が取り付けられ、第１方向Ｘにおける他方側に一対の保持部材３０,４０が取り付けられる。言い換えると、一対の保持部材３０，４０と、他の一対の保持部材３０，４０とは、支持台１０を間に挟むように第１方向に離れて設けられる。保持部材３０と保持部材４０とは、第２方向Ｙに互いに離れて設けられる。また、本実施形態では、図８および後述の図１５示すように、保持部材３０と保持部材４０とが第１方向Ｘにおいて並ぶように、一対の保持部材３０および一対の保持部材４０が支持台１０に取り付けられる。保持部材３０，４０はそれぞれ、例えば、金属材料からなる。
【００４９】
図９および図１０は、保持部材３０を示す図である。図９において、（ａ）は保持部材３０を第１方向Ｘから見た図であり、（ｂ）は、（ａ）のＢ−Ｂ線拡大断面図である。また、図１０において、（ａ）は、図９（ａ）の保持部材３０を紙面左側から見た図であり、（ｂ）は、図９（ａ）の保持部材３０を紙面右側から見た図である。また、図１１は、図７のＡ−Ａ線断面図である。なお、図１１においては、図面が煩雑になることを避けるために、柱状部材２２ｂ，２２ｅおよび保持部材３０以外の部材については図示を省略している。
【００５０】
図９〜図１１に示すように、保持部材３０は、手摺柱保持部３２と、固定部３４と、巾木保持部３６と、仮止め部３８とを有している。手摺柱保持部３２は、手摺枠２４の手摺柱２４ａを取り外し可能に保持できるように構成されている。本実施形態では、手摺柱保持部３２は、上下方向に延びるように筒形状（本実施形態では、円筒形状）を有している。
【００５１】
固定部３４は、一対の狭持部材３４ａ，３４ｂ、一対の連結部材３４ｃおよび一対の締結部材３４ｄを有している。狭持部材３４ａは、第１方向Ｘに略平行に設けられる第１板状部３４１と、第２方向Ｙに略平行に設けられる第２板状部３４２とを有し、上方から見てＬ字形状を有している。図１０に示すように、第１板状部３４１は、第２方向Ｙから見て、Ｌ字形状を有している。第１板状部３４１の下部側に、手摺柱保持部３２が固定されている。
【００５２】
狭持部材３４ｂは、第１方向Ｘにおいて、狭持部材３４ａの第２板状部３４２に対向するように設けられている。図１１に示すように、狭持部材３４ｂの上下方向における中央部は、狭持部材３４ａと狭持部材３４ｂとの間に柱状部材２２ｂを通すための空間が形成されるように、第１方向Ｘに屈曲している。狭持部材３４ｂは、一対の締結部材３４ｄによって狭持部材３４ａの第２板状部３４２に固定されている。本実施形態では、各締結部材３４ｄは、ボルトおよびナットを含む。
【００５３】
図１０および図１１に示すように、一対の連結部材３４ｃは、第１方向Ｘに延びて手摺柱保持部３２と巾木保持部３６とを連結している。図９〜図１１に示すように、巾木保持部３６は、上方から見て略Ｌ字形状を有する第１壁部３６ａと、第１壁部３６ａから下方に延びかつ上方から見て略Ｕ字形状を有する第２壁部３６ｂと、第２壁部３６ｂの下端部を塞ぐように設けられた板状の底部３６ｃとを有している。図１１に示すように、仮止め部３８は、第２壁部３６ｂから第１方向Ｘに延びかつ柱状部材２２ｅに引っ掛けることができるように鉤状に形成されている。
【００５４】
図１２は、保持部材３０の支持台１０（図７参照）への取り付け方法を説明するための図である。図１２（ａ）に示すように、保持部材３０を支持台１０へ取り付ける際には、狭持部材３４ｂを狭持部材３４ａから取り外した状態で、仮止め部３８を柱状部材２２ｅに引っ掛ける。そして、図１２（ｂ）に示すように、狭持部材３４ａが柱状部材２２ｂに近付くように、柱状部材２２ｅを回転中心として、手摺柱保持部３２、固定部３４（狭持部材３４ｂおよび一対の締結部材３４ｄを除く）および巾木保持部３６を回転させる。最後に、図１１に示すように、狭持部材３４ａと狭持部材３４ｂとによって柱状部材２２ｂを挟んだ状態で、一対の締結部材３４ｄによって狭持部材３４ａと狭持部材３４ｂとを固定する。これにより、保持部材３０を支持台１０に取り付けることができる。このように、本実施形態では、仮止め部３８を柱状部材２２ｅに引っ掛けた状態で、柱状部材２２ａを間に挟むように狭持部材３４ａと狭持部材３４ｂとを固定することができるので、保持部材３０を支持台１０に容易に取り付けることができる。
【００５５】
図１３および図１４は、保持部材４０を示す図である。図１３において、（ａ）は保持部材４０を第１方向Ｘから見た図であり、（ｂ）は、（ａ）のｂ−ｂ線拡大断面図である。また、図１４において、（ａ）は、図１３（ａ）の保持部材４０を紙面左側から見た図であり、（ｂ）は、図１３（ａ）の保持部材４０を紙面右側から見た図である。
【００５６】
図１３および図１４に示すように、保持部材４０は、手摺柱保持部４２と、固定部４４と、巾木保持部４６と、仮止め部４８とを有している。なお、第１方向Ｘから見て、保持部材４０は、保持部材３０に対して左右対称となる構成を有しているので、保持部材４０については簡単に説明する。
【００５７】
手摺柱保持部４２は、手摺枠２４の手摺柱２４ａを取り外し可能に保持できるように構成されている。本実施形態では、手摺柱保持部４２は、手摺柱保持部３２と同様に、上下方向に延びるように筒形状（本実施形態では、円筒形状）を有している。固定部４４は、固定部３４と同様に、一対の狭持部材４４ａ，４４ｂ、一対の連結部材４４ｃおよび一対の締結部材４４ｄを有している。狭持部材４４ａは、上方から見てＬ字形状を有している。狭持部材４４ａの下部側に、手摺柱保持部４２が固定されている。
【００５８】
狭持部材４４ｂの上下方向における中央部は、狭持部材４４ａと狭持部材４４ｂとの間に柱状部材２２ｂ（図７参照）を通すための空間が形成されるように、第１方向Ｘに屈曲している。狭持部材４４ｂは、一対の締結部材４４ｄによって狭持部材４４ａに固定されている。本実施形態では、各締結部材４４ｄは、ボルトおよびナットを含む。
【００５９】
一対の連結部材４４ｃは、手摺柱保持部４２と巾木保持部４６とを連結している。巾木保持部４６は、巾木保持部３６と同様に、上方から見て略Ｌ字形状を有する第１壁部４６ａと、第１壁部４６ａから下方に延びかつ上方から見て略Ｕ字形状を有する第２壁部４６ｂと、第２壁部４６ｂの下端部を塞ぐように設けられた板状の底部４６ｃとを有している。仮止め部４８は、仮止め部３８と同様に鉤状に形成されている。
【００６０】
詳細な説明は省略するが、保持部材４０を支持台１０に取り付ける際には、保持部材３０を支持台１０に取り付ける際と同様に、仮止め部４８を柱状部材２２ｅに引っ掛けた状態で、柱状部材２２ａを間に挟むように狭持部材４４ａと狭持部材４４ｂとを固定することができる。
【００６１】
図１５および図１６は、支持台１０、アウトリガー１８および保持部材３０，４０の位置関係を説明するための図である。なお、図１５においては、図面が煩雑になることを避けるために、保持部材３０，４０のうち、手摺柱保持部３２，４２以外の構成の図示を省略している。また、図１５および図１６においては、複数のアウトリガー１８が閉じられた状態を示している。
【００６２】
図１５に示すように、本実施形態では、４つの支柱２２ｃそれぞれに対応するように、手摺柱保持部３２または手摺柱保持部４２が設けられる。手摺柱保持部３２，４２はそれぞれ、第１方向Ｘにおいて基礎フレーム部２０よりも外側に位置するように、固定部３４，４４によって支持台１０に固定されている。本実施形態では、図８に示すように、手摺柱保持部３２，４２はそれぞれ、第１方向Ｘにおいて、伸縮部１２および手摺柱取付部１４ｂよりも外側に設けられている。また、本実施形態では、図７に示すように、手摺柱保持部３２，４２は、第１方向Ｘから見て、手摺柱取付部１４ｂの軸心を通って上下方向に延びる直線（二点鎖線で示す直線）上に位置するように設けられている。
【００６３】
図１６に示すように、本実施形態では、アウトリガー１８を閉じたり開いたりする際に、回転フレーム部２８ａが手摺柱保持部３２，４２の下方を通ることができるように、手摺柱保持部３２，４２が支持台１０に固定されている。言い換えると、手摺柱保持部３２，４２は、回転フレーム部２８ａの回転経路上に位置しないように、支持台１０に固定されている。
【００６４】
図１７および図１８は、一対の手摺枠２４を作業部１４から取り外して、昇降式移動足場１００の側部に保持した状態を示す図である。
【００６５】
図１７および図１８に示すように、本実施形態では、第１方向Ｘにおける一方側の手摺柱保持部３２，４２によって一方の手摺枠２４を保持し、第１方向Ｘにおける他方側の手摺柱保持部３２，４２によって他方の手摺枠２４を保持することができる。
【００６６】
手摺柱保持部３２，４２はそれぞれ、手摺柱２４ａの軸心が上下方向を向くように、手摺柱２４ａを保持する。言い換えると、手摺柱保持部３２，４２は、手摺柱２４ａが立つように手摺柱２４ａを保持する。
【００６７】
また、手摺柱保持部３２，４２はそれぞれ、手摺柱２４ａの少なくとも一部が、伸縮部１２を支持する基礎フレーム部２０よりも下方に位置するように、手摺柱２４ａを保持する。
【００６８】
また、本実施形態では、手摺柱保持部３２，４２はそれぞれ、手摺柱２４ａの下部２５が回転フレーム部２８ａの回転経路上に位置するように、手摺柱２４ａの下部２５を下方に突出させた状態で手摺柱２４ａを保持する。
【００６９】
また、図１８に示すように、本実施形態では、作業部１４から取り外された２つの巾木２６のうち、一方の巾木２６を、第２方向Ｙにおける一方側に設けられた保持部材３０，４０によって保持し、他方の巾木２６を、第２方向Ｙにおける他方側に設けられた保持部材３０，４０によって保持することができる。本実施形態では、巾木２６の第１方向Ｘにおける一端部を、保持部材３０の巾木保持部３６によって保持し、巾木２６の第１方向Ｘにおける他端部を、保持部材４０の巾木保持部４６によって保持することができる。これにより、巾木２６を支持台１０の内側において保持することができる。なお、巾木２６を巾木保持部３６，４６によって保持する際には、第２壁部３６ｂの内側に巾木２６の一端部を差し込むとともに、第２壁部４６ｂの内側に巾木２６の他端部を差し込む。これにより、巾木２６の両端部が、第２壁部３６ｂ，４６ｂおよび底部３６ｃ，４６ｃによって保持される。
【００７０】
以上のように、本実施形態では、４つの手摺柱保持部３２，４２（２つの手摺柱保持部３２および２つの手摺柱保持部４２）が、第１方向Ｘにおいて伸縮部１２よりも外側に設けられている。そして、第１方向Ｘにおける一方側に設けられた一対の手摺柱保持部３２，４２によって、一方の手摺枠２４を伸縮部１２の第１方向Ｘにおける一方側に位置付けた状態で保持することができる。また、第１方向Ｘにおける他方側に設けられた一対の手摺柱保持部３２，４２によって、他方の手摺枠２４を伸縮部１２の第１方向Ｘにおける他方側に位置付けた状態で保持することができる。
【００７１】
上記のように、本実施形態では、支持台１０に設けられた手摺柱保持部３２，４２によって手摺柱２４ａを保持することによって、手摺枠２４を昇降式移動足場１００の側部で保持することができる。このため、本実施形態では、手摺枠２４を昇降式移動足場１００の側部で保持するために、特許文献１に開示された昇降式移動足場のように、手摺枠に特別な構成を設ける必要がない。すなわち、一対の手摺柱を備えた公知の種々の手摺枠を用いることができ、昇降式移動足場の製造コストの上昇を抑制することができる。
【００７２】
また、本実施形態では、支持台１０に固定された手摺柱保持部３２，４２によって手摺枠２４を保持できる。この場合、例えば、伸縮部１２に固定された手摺柱保持部によって手摺枠２４を保持する場合に比べて、手摺枠２４を安定して保持できる。
【００７３】
また、本実施形態では、手摺柱保持部３２，４２は、手摺柱２４ａの少なくとも一部が基礎フレーム部２０よりも下方に位置するように、手摺柱２４ａを保持する。この場合、手摺枠２４を十分に低い位置で保持することができるので、昇降式移動足場１００の移動時および収容時に手摺枠２４が邪魔になることを十分に防止できる。
【００７４】
また、本実施形態では、手摺柱保持部３２，４２は、手摺柱２４ａの下部２５がアウトリガー１８の回転フレーム部２８ａの回転経路上に位置するように、手摺柱２４ａの下部２５を下方に突出させた状態で手摺柱２４ａを保持する。このため、図１７および図１８に示したように、アウトリガー１８を閉じた状態で手摺柱保持部３２，４２によって手摺柱２４ａを保持した場合には、回転フレーム部２８ａが外側に向かって回転することを手摺柱２４ａの下部２５によって阻止することができる。これにより、アウトリガー１８を閉じた状態で昇降式移動足場１００を移動させる際に、アウトリガー１８が開いてしまうことを防止することができる。その結果、昇降式移動足場１００の移動時に、アウトリガー１８が周辺の物（扉等）に衝突することを十分に防止でき、昇降式移動足場１００を安全に移動させることができる。
【００７５】
なお、手摺柱保持部３２，４２に手摺柱２４ａが保持されていない状態では、回転フレーム部２８ａは、手摺柱保持部３２，４２の下方を通って水平方向に回転することができる。これにより、アウトリガー１８を、閉じたり、開いたりすることができる。
【００７６】
また、本実施形態では、保持部材３０，４０は、支持台１０に対して取り外し可能であるので、保持部材３０，４０の消耗度に応じて、適宜交換することができる。
【００７７】
上述の実施形態では、巾木保持部３６，４６および仮止め部３８，４８を備えた保持部材３０，４０について説明したが、保持部材が巾木保持部および仮止め部のうちの一方または両方を備えていなくてもよい。図１９は、保持部材の他の例を示す図であり、（ａ）は、保持部材を第１方向Ｘから見た図であり、（ｂ）は、（ａ）の保持部材を紙面右側から見た図である。図１９に示すように、例えば、保持部材３０ａが、図１０に示した連結部材３４ｃ、巾木保持部３６および仮止め部３８を備えていなくてもよい。詳細な説明は省略するが、図１４に示した保持部材４０において、連結部材４４ｃ、巾木保持部４６および仮止め部４８を設けなくてもよい。
【００７８】
また、上述の実施形態では、手摺柱保持部３２，４２は、固定部３４，４４によって支持台１０に対して取り外し可能に設けられていたが、溶接等によって接合されることによって、手摺柱保持部３２，４２が支持台１０に一体的に設けられていてもよい。図２０は、保持部材のその他の例を示す図であり、（ａ）は支持台に一体的に設けられた保持部材を示す図であり、（ｂ）は（ａ）のｂ−ｂ線断面図である。図２０に示すように、例えば、支持台１０に一体的に設けられた板状の固定部５０と、固定部５０に固定された手摺柱保持部３２とを備える保持部材３０ｂを、保持部材３０，４０の代わりに用いてもよい。なお、固定部５０は、例えば、溶接によって、柱状部材２２ｂおよび手摺柱保持部３２に接合される。
【００７９】
上述の実施形態では、手摺柱保持部が円筒形状を有する場合について説明したが、手摺柱保持部の形状は上述の例に限定されず、手摺柱保持部は、手摺柱の軸心が上下方向を向くように、手摺柱を保持できる構成を有していればよい。したがって、例えば、手摺柱保持部が、角筒形状を有していてもよい。また、中空円板形状等の板状の部材を手摺柱保持部として用いてもよい。
【００８０】
上述の実施形態では、保持部材が基礎フレーム部２０の柱状部材２２ａに固定される場合について説明したが、保持部材が支持台１０の他の構成要素に固定されてもよい。
【産業上の利用可能性】
【００８１】
本発明によれば、手摺枠に特別な構成を設けることなく昇降式移動足場の側部において手摺枠を保持することが可能になる。したがって、本発明は、種々の昇降式移動足場において好適に利用できる。
【符号の説明】
【００８２】
１０  支持台
１０ａ  車輪
１２  伸縮部
１４  作業部
１４ａ  床部
１４ｂ  手摺柱取付部
１６  手摺部
１８  アウトリガー
２０  基礎フレーム部
２２ｃ  支柱
２４  手摺枠
２４ａ  手摺柱
２６  巾木
２８ａ  回転フレーム部
２８ｂ  ジャッキベース
３０，３０ａ，３０ｂ，４０  保持部材
３２，４２  手摺柱保持部
３４，４４，５０  固定部
３６，４６  巾木保持部
１００  昇降式移動足場
【図１】
2020045649.tif 000003
【図２】
2020045649.tif 000004
【図３】
2020045649.tif 000005
【図４】
2020045649.tif 000006
【図５】
2020045649.tif 000007
【図６】
2020045649.tif 000008
【図７】
2020045649.tif 000009
【図８】
2020045649.tif 000010
【図９】
2020045649.tif 000011
【図１０】
2020045649.tif 000012
【図１１】
2020045649.tif 000013
【図１２】
2020045649.tif 000014
【図１３】
2020045649.tif 000015
【図１４】
2020045649.tif 000016
【図１５】
2020045649.tif 000017
【図１６】
2020045649.tif 000018
【図１７】
2020045649.tif 000019
【図１８】
2020045649.tif 000020
【図１９】
2020045649.tif 000021
【図２０】
2020045649.tif 000022